【事件の表示】
　平成　７年特許願第１１３４４５号「冗長的に伝送される通信セル流の同期方法および同期回路装置」拒絶査定不服審判事件〔平成　８年　２月２０日出願公開、特開平　８−　５１４４２〕について、次のとおり審決する。
【結　論】
　本件審判の請求は、成り立たない。
【理　由】
１．手続の経緯・本願発明 
　
　本件出願は、平成７年５月１１日（パリ条約による優先権主張１９９４年５月１１日、ドイツ連邦共和国）の出願であって、平成１７年３月１５日付けで拒絶査定され、同年６月２１日に審判請求がなされたものであるところ、本件出願の請求項１に係る発明（以下、「本願発明」という。）は、出願当初の明細書および図面の記載からみて、その特許請求の範囲の請求項１に記載された次のとおりのものである。 
　
（本願発明）
　「　【請求項１】　複数の交換装置を有するセル指向型通信網（ＡＴＭＮ）、例えば非同期伝送モードで動作するＡＴＭ通信網において経路対（ＡＰ，ＥＰ）を介して冗長的に伝送される通信セル流を、２つの通信セル流に挿入された制御セルによって同期する方法であって、
　制御セルをそれぞれ所定の時間間隔で、経路対の始端部で２つの通信セル流に挿入し、
　経路対の端部で制御セルの発生を、２つの通信セル流に対して別個に監視する形式の方法において、
　制御セルには、制御セル毎に連続して変化する連続番号が含まれ、
　経路対の端部にて、２つの通信セル流に発生する連続番号に基づいて先行する通信セル流を検出し、
　当該先行する通信セル流を同じ連続番号が２つの通信セル流に発生するまで遅延する
　ことを特徴とする、冗長的に伝送される通信セル流の同期方法。」 
　
　
２．引用例に記載された発明 
（１）原査定の拒絶の理由に引用された刊行物である特開平４−３６９１４０号公報（以下、「引用例」という。）には、「無瞬断切換方式」として、図面と共に次の記載がある。
　
イ．「【０００１】
【産業上の利用分野】本発明は、時分割多重ディジタル伝送において、セルを単位とする情報列を伝送する現用伝送路または現用パスから予備用伝送路または予備用パスに無瞬断切り換えを行う無瞬断切換方式に関する。なお、伝送路，パスおよびチャネルの無瞬断切り換えは、伝送路復旧後の切り戻し、伝送路またはノード工事のために支障となる区間の移転および切り戻し、伝送路の伝送品質劣化時の伝送路切り換えおよび切り戻しその他において行われている。
【０００２】また、以下の説明では主に伝送路の無瞬断切り換えについて述べるが、パスあるいはチャネルの無瞬断切り換えについても同様に説明される。
【０００３】
【従来の技術】図１８は、無瞬断切り換えを行う伝送路の構成例を示す図である。図において、送信側装置１０１と受信側装置１０２が、現用伝送路１０３および予備用伝送路１０４を介して対応配置される。受信側装置１０２の伝送路切換スイッチ１０５が伝送遅延の大きい現用伝送路１０３から伝送遅延の小さい予備用伝送路１０４に無瞬断で切り換えを行う場合には、その間の伝送遅延差を吸収するために予備用伝送路１０４側にセルを一時蓄積する遅延挿抜回路１０６が必要になる。すなわち、伝送路切換スイッチ１０５が現用伝送路１０３から予備用伝送路１０４への無瞬断切り換えを行うときに、遅延挿抜回路１０６に蓄積されているセルを順次読み出すことにより、切り換え時の両伝送路の伝送遅延差を合致させてセルの紛失回避および到着順序を保証している。
【０００４】セルは、ヘッダ領域と情報領域を持つ固定長（５３バイト）のパケットであり、有効情報を持つ実セルと有効情報を持たない空セル（アイドルセル）がある。さらに、実セルは、バーチャルチャネル（以下、「ＶＣ」という。）を識別する識別子ＶＣＩ（バーチャルチャネルアイデンティファイヤ）と、バーチャルパス（以下、「ＶＰ」という。）を識別する識別子ＶＰＩ（バーチャルパスアイデンティファイヤ）をヘッダ領域にもち、端末間情報を情報領域にもつセルと、網内で制御用に用いる切換制御用ＯＡＭセルと、パス容量を固定するための容量固定用ＯＡＭセルとがある。
【０００５】容量固定用ＯＡＭセルは、情報領域に端末間情報を含まないセルであり、空セルでありながら容量制御のための通常の空セルと区別したセルである。また、切換制御用ＯＡＭセルは、情報領域に端末間情報を持つ場合と持たない場合がある。ＶＣＩは、相手端末への宛先を示し、同一ＶＣＩの実セル流がチャネルを示し、複数チャネルに対して同一ＶＰＩの識別子が付与された実セル流がパスを示す。パスは、離れたノード（装置）間または網終端回路（ＮＴ）間について同一ＶＰＩまたはそのＶＰＩの実セル流が通過するルートを規定する。
あるＶＰＩ識別子を有するＯＡＭセルは、そのＶＰＩのパスと同一ルートを通過することができる。伝送路はパスを多重化して構成される。
【０００６】図１９は、実セルおよび空セルの構成例を示す図である。（ａ）は実セルを示し、（ｂ）　は空セルを示す。図において、実セルのヘッダ領域には、ＶＰＩを示すビット列、ＶＣＩを示すビット列、ＯＡＭ表示のビット列、ＣＲＣビット列が挿入される。ＶＣＩビット列の特定パターンをＯＡＭ表示に用いる場合もある。
切換制御用ＯＡＭセルと容量固定用ＯＡＭセルの識別は、ビットパターンまたはヘッダ内の挿入位置により行われる。
ＣＲＣビット列は、ヘッダ領域が短縮化巡回符号となるようにセルごとに挿入されるビット列である。なお、受信側装置では、このＣＲＣビット列によりセル同期をとることによりセルの区切りを検出することができる。
【０００７】伝送路上では各セルの情報領域はスクランブル回路によってスクランブルされており、装置内では実セルと空セルの情報領域はスクランブルされたままである場合と、デスクランブルされて元の信号に復元されている場合がある。さらに、装置内では伝送路から到着する空セル以外にも装置内で発生する空セルがあり、これを無信号セルと呼ぶ。なお、この無信号セル区間は、単位時間内における伝送路上での実セルと空セルの和のセル数より、装置内のセル位相クロック数が多い場合に生じる。
【０００８】伝送路上でのセル流は実セルと空セルにより構成される。装置内でのセル流は、実セルと空セルと無信号セルにより構成されるが、切り換え対象の１つのパスのセル流はそのパスを識別するＶＰＩを有する実セルと、それ以外のセル区間（そのパスに着目した場合は無信号セル区間とみなす）により構成される。単位時間内の実セル占有率が高い場合には、伝送路またはパスのセル流量（実セル）が多くなり、低い場合には少なくなる。
【０００９】図２０は、伝送遅延の小さい方へ伝送路切り換えを行う場合のセル流の時間圧縮動作について説明する図である。（ａ）　は、遅延挿抜回路１０６に到着するＶＣａ　およびＶＣｂ　により表される２つの伝送路の元のセル流を示す。太実線矢印は実セルを示し、破線矢印は空セルを示す。（ｂ）　は、遅延挿抜回路１０６の出力において、元のセル流のうち、伝送遅延区間の空セルを取り除くことにより時間圧縮を行ったセル流を示す。すなわち、伝送路切り換え後に実セルのみが連続して読み出されるので、セル流が一時に上昇して平均速度およびピーク速度が大幅に上昇し、チャネルおよびパスの実セル流には位相跳躍が生じる。
【００１０】図２１は、伝送遅延の大きい方へ伝送路切り換えを行う場合のセル流の時間伸長動作について説明する図である。（ａ）　は、遅延挿抜回路１０６に到着するＶＣａ　およびＶＣｂ　により表される２つの伝送路の元のセル流を示す。太実線矢印は実セルを示し、破線矢印は空セルを示す。（ｂ）　は、遅延挿抜回路１０６の出力において、元のセル流のうち、伝送遅延区間の空セルを付加することにより時間伸長を行ったセル流を示す。なお、チャネルおよびパスの実セル流には同様に伝送遅延差分の位相跳躍が生じる。
【００１１】
【発明が解決しようとする課題】このように従来の無瞬断切換方式では、現用伝送路（現用パス）と予備用伝送路（予備用パス）との間に伝送遅延差がある場合には、切り換え後のパスまたはチャネル内の実セル流において位相跳躍が生じる。この位相跳躍は、チャネルの受信端末あるいはＡＴＭパスをＳＴＭパスに変換するＡＴＭ／ＳＴＭ変換回路において、チャネルまたはパス内の実セル流の平均速度に同期して元の信号に変換する場合には、変換回路が実セル流に追従できないために情報列の瞬断を発生させることがあった。特に、伝送遅延差が大きい場合には位相跳躍も非常に大きくなり、影響が大となる。」
（２頁２欄〜３頁４欄）
　
ロ．「【００２５】
【実施例】図１は、本発明の第一実施例の構成を示すブロック図である。図において、現用伝送路１１および予備用伝送路１２を介して、送信側装置１３と受信側装置１４とが対向配置される。送信側装置１３は、送信信号を現用伝送路１１および予備用伝送路１２に並列に送出する並列伝送回路１５と、現用伝送路１１内の空セル位置にシーケンシャル番号が付与された切換制御用ＯＡＭセルをほぼ周期的に挿入する切換制御用ＯＡＭセル発生回路１６とを備える。受信側装置１４は、現用伝送路１１に挿入される現用側の遅延挿抜回路１７と、予備用伝送路１２に挿入される予備側の遅延挿抜回路１８と、現用伝送路１１と予備用伝送路１２とを切り換える切換回路１９と、各遅延挿抜回路１７，１８を制御して各伝送路の伝送遅延差を調整し、伝送遅延差が零の状態で切換回路１９の切り換え動作を制御する制御回路２０とを備える。
【００２６】図２は、受信側装置１４の実施例構成を示すブロック図である。図において、現用側および予備側の各遅延挿抜回路１７，１８は同一構成である。遅延挿抜回路１７，１８は、ＦＩＦＯ（ファーストイン−ファーストアウトメモリ）２１と、ＦＩＦＯ２１の書き込みおよび読み出しを制御する制御回路２２と、ＦＩＦＯ２１の出力から切換制御用ＯＡＭセルを検出する切換制御用ＯＡＭセル検出回路２３とを有する。ＦＩＦＯ２１は、現用伝送路１１あるいは予備用伝送路１２の実セルの蓄積を行うメモリ２４と、実セル到着の有無を示す実セル書き込み制御信号３１に応じて書き込みアドレスをメモリ２４に送出する書き込みアドレス発生回路２５と、制御回路２２から出力される実セル読み出し制御信号３２に応じて読み出しアドレスをメモリ２４に送出する読み出しアドレス発生回路２６とを有する。メモリ２４は、読み出しアドレス発生回路２５から出力される読み出しアドレスに応じて、最初に書き込まれたセルから順に読み出す。なお、各回路はクロック３３に応じて動作し、メモリ２４からセルがすべて読み出されたときにエンプティー信号３４が制御回路２２に出力される。
【００２７】各遅延挿抜回路１７，１８の切換制御用ＯＡＭセル検出回路２３から出力される切換制御用ＯＡＭセル検出信号３５，３６は制御回路２０に入力され、制御回路２０は各遅延挿抜回路１７，１８の制御回路２２を制御する制御信号３７，３８と切換回路１９を制御する切換信号３９とを出力する。まず最初に、伝送路の切り換え動作について説明する。
【００２８】遅延挿抜回路１７，１８のＦＩＦＯ２１は、実セル書き込み制御信号３１に応じて実セルのみを書き込む。また、制御回路２２は、実セル書き込み制御信号３１から実セル到着を「１」，空セル到着を「０」とする１，０のビット列を受信側装置１４内のセル位相クロックに同期して記録する。すなわち、ＦＩＦＯ２１に記録された実セルの到着履歴が制御回路２２に記録される。次に、制御回路２２はその到着履歴情報を順次読み出し、エンプティー信号３４が与えられるまで、それが「１」である場合に実セル読み出し制御信号３２を送出し、メモリ２４内の実セルを読み出す。また、到着履歴情報が「０」である場合には実セル読み出し制御信号３２の送出を停止する。なお、このとき生成される空セルは、受信側装置１４内の実セル以外のセル単位の時間区間であり、伝送路上の空セルとともに、装置内のセル位相クロックが伝送路より高速である場合に生じる空時間の無信号セルも含まれる。
【００２９】制御回路２０から送出される制御信号３７，３８は、セル読み出し停止信号，セル到着間隔圧縮信号またはセル読み出し間隔伸長信号である。遅延挿抜回路１７，１８は、通常はセルの書き込みおよび読み出しを通常のＦＩＦＯと同様に行うが、セル読み出し間隔伸長信号としての制御信号３７，３８が与えられると、所定の周期で制御回路２２内に記録された到着履歴の１，０のビット列の読み出しを停止する。すなわち、そのタイミングで空セルの挿入により遅延が与えられ、セル流の時間伸長が行われる。また、セル到着間隔圧縮信号としての制御信号３７，３８が与えられると、所定の周期位置で遅延挿抜回路１７，１８に到着する１つの空セルまたは無信号セルに対して「０」の書き込みを停止するか、制御回路２２内に記録された到着履歴の１，０のビット列の読み出し時に、所定の周期で「０」の読み出しを無視して次のビットの読み出しにスキップする。
すなわち、そのタイミングで空セルが抜かれてセル流の時間圧縮が行われる。
【００３０】図３は、セル流の時間圧縮の原理について説明する図である。（ａ）　は、遅延挿抜回路１７，１８（ＦＩＦＯ２１）に到着するＶＰａおよびＶＰｂ　により表される２つのパスを多重化した伝送路の元のセル流を示す。太実線矢印は実セルを示し、細実線矢印は空セルを示し、破線矢印は無信号セルを示す。無信号セル区間は、単位時間内における伝送路上での実セルと空セルの和のセル数より、装置内のセル位相クロック数が多い場合に生じるが、実セルのみを書き込む遅延挿抜回路１７，１８では空セルと無信号セルとはともに無信号セルとして扱う。なお、遅延挿抜回路１７，１８に到着する実セルと空セルの情報領域は、デスクランブルされて元の信号に変換されているものとする。
【００３１】（ｂ）　は、遅延挿抜回路１７，１８の出力において、元のセル流のうち、周期位置が空セルまたは無信号セルの場合にそのセルを取り除くことにより時間圧縮を行ったセル流を示す。ここでは、周期位置１に対応する空セル(3)が取り除かれて時間圧縮が行われるが、周期位置２では実セルが到着するので時間圧縮は行われない。すなわち、所定の周期位置にある空セルまたは無信号セルのみが取り除かれるのでセル流量の増加が適度に抑えられ、平均速度およびピーク速度の上昇を緩和することができる。また、周期Ｎを十分に大きくとることにより、遅延挿抜回路出力におけるセル流量の増加を極めて小さく抑えることができる。なお、上記の原理によれば、実セル到着の有無を「０」，「１」のビット列として記録する実現方法の他に、ＦＩＦＯ２１に直接実セルと周期位置の空セルを除いた空セルとを書き込む構成で実現することもできる。
【００３２】また、所定の周期位置が連続して空セルまたは無信号セルとならない場合には、元のセル流の時間圧縮を行うことができない。その場合には、周期位置の近傍の空セルまたは無信号セルを除去するか、周期位置をずらすことによって時間圧縮が可能になる。ところで、伝送路切り換え時に予備用の遅延挿抜回路１８に蓄積されていたセル流は、その出力段では元のセル流より時間圧縮したセル流となって所定の時間経過後にはすべて読み出されるが、上述した時間圧縮原理により実セル流に位相跳躍をほとんど生じさせなくてすむ。
【００３３】図４は、セル流の時間伸長の原理について説明する図である。（ａ）　は、同様に遅延挿抜回路１７，１８に到着する元のセル流を示す。（ｂ）　は、遅延挿抜回路１７，１８の出力において、元のセル流のうち、所定の周期位置に無信号セルを挿入して時間伸長を行ったセル流を示す。ここでは、周期位置１，２，３に無信号セルが挿入されて時間伸長が行われ、セル流に遅延を付加することができる。また、無信号セルを挿入する周期を十分に長くすることにより、遅延挿抜回路出力における実セル流に位相跳躍をほとんど生じさせなくてすむ。
【００３４】また、実セル流の圧縮，伸長制御を例えば１０６　セル周期で行うことにより、受信側装置１４が実セル流の平均速度から受信クロックを再生するＰＬＬ回路その他の遮断周波数より実セル流の周波数変動を低く抑え、伝送路の無瞬断切り換えにおける伝送遅延差による伝送品質劣化を回避することができる。以上示した動作原理に基づいて、伝送路の無瞬断切り換え時の手順について説明する。
【００３５】現用側の遅延挿抜回路１７は、通常は現用伝送路１１には挿入されておらず、切り換え前に挿入される。また、前もって挿入されている場合には、セル流を無遅延で通過させる制御を行う。受信側装置１４の切換回路１９は、現用伝送路１１側を選択しているものとする。予備側の遅延挿抜回路１８は、切り換え前に予備用伝送路１２に挿入されるか、前もって挿入されており、実セルの書き込みおよび読み出し制御を行う。また、制御回路２０は、切換制御用ＯＡＭセル検出信号３５，３６を取り込み、同じシーケンシャル番号の切換制御用ＯＡＭセルの到着時刻の差に応じて、現用伝送路１１および予備用伝送路１２の伝送遅延差を検出する。
【００３６】ここで、現用伝送路１１の伝送遅延が小さい場合には、制御回路２０は現用側の遅延挿抜回路１７に対して、制御信号３７としてセル読み出し間隔伸長信号を送出する。遅延挿抜回路１７の制御回路２２では、このセル読み出し間隔伸長信号に応じて、切換制御用ＯＡＭセル到着周期より長い所定の周期で記録された実セルの到着履歴の読み出しを停止する。すなわち、図４に示す時間伸長が行われ、以後、制御回路２０は、切換制御用ＯＡＭセル検出信号３５，３６から同じシーケンシャル番号の切換制御用ＯＡＭセルの到着時刻の差が零になった時点で、切換回路１９に対して切換信号３９を送出して現用伝送路１１から予備用伝送路１２への切り換えを実行する。あるいは、同じシーケンシャル番号の切換制御用ＯＡＭセルの到着時刻の差が所定値以下になった場合に、各切換制御用ＯＡＭセル検出回路２３で切換制御用ＯＡＭセルを検出したときに、各遅延挿抜回路１７，１８からの読み出しを停止して現用伝送路１１から予備用伝送路１２への切り換えを行い、その後読み出しを再開してもよい。
【００３７】なお、切り換え動作が行われる前に、現用側の制御回路２２内にある実セルの到着履歴を記録するメモリがオーバーフローを起こした場合には、セル流の時間圧縮処理を行う。すなわち、切り換え動作が行われるまで、セル到着間隔圧縮記録またはセル読み出し間隔伸長動作を繰り返し行う。一方、現用伝送路１１の伝送遅延が大きい場合には、制御回路２０は予備側の遅延挿抜回路１８に対して、制御信号３８としてセル読み出し停止信号を送出する。遅延挿抜回路１８の制御回路２２では、このセル読み出し停止信号に応じて、伝送遅延差より長い時間に渡って実セルの到着履歴を読み出しを停止する。ここで、予備側の制御回路２２内にある実セルの到着履歴を記録するメモリがオーバーフローを起こした場合には、その読み出しを開始する。次に、制御回路２０は予備側の遅延挿抜回路１８に対して、制御信号３７としてセル到着間隔圧縮信号を送出する。遅延挿抜回路１８の制御回路２２では、このセル到着間隔圧縮信号に応じて、空セルの到着または無信号セルを示す「０」の書き込みを切換制御用ＯＡＭセル到着周期より長い所定の周期で禁止する。すなわち、図３に示す時間圧縮が行われ、以後、制御回路２０は、切換制御用ＯＡＭセル検出信号３５，３６から同じシーケンシャル番号の切換制御用ＯＡＭセルの到着時刻の差が零になった時点で、切換回路１９に対して切換信号３９を送出して現用伝送路１１から予備用伝送路１２への切り換えを実行する。
あるいは、同じシーケンシャル番号の切換制御用ＯＡＭセルの到着時刻の差が所定値以下になった場合に、各切換制御用ＯＡＭセル検出回路２３で切換制御用ＯＡＭセルを検出したときに、各遅延挿抜回路１７，１８からの読み出しを停止して現用伝送路１１から予備用伝送路１２への切り換えを行い、その後読み出しを再開してもよい。
【００３８】なお、この場合にも、切り換え動作が行われる前に、制御回路２２内にある実セルの到着履歴を記録するメモリが空になった場合には、セル流の時間伸長処理を行う。また、予備側の切換制御用ＯＡＭセル検出回路２３において、あるシーケンシャル番号の切換制御用ＯＡＭセルが検出された時点で予備側の遅延挿抜回路１８からの読み出しを停止し、同じシーケンシャル番号の切換制御用ＯＡＭセルが現用側の切換制御用ＯＡＭセル検出回路２３に検出された時点で、予備側の遅延挿抜回路１８からの読み出しを開始し、以下同様の切り換え手順を実行することにより、切り換えタイミングを早めることができる。」
（５頁７欄〜７頁１１欄）
　
　
　上記イには、「【０００１】
【産業上の利用分野】本発明は、時分割多重ディジタル伝送において、セルを単位とする情報列を伝送する現用伝送路または現用パスから予備用伝送路または予備用パスに無瞬断切り換えを行う無瞬断切換方式に関する。」、
「【０００４】セルは、ヘッダ領域と情報領域を持つ固定長（５３バイト）のパケットであり、有効情報を持つ実セルと有効情報を持たない空セル（アイドルセル）がある。」、
「【００１１】・・・（中略）・・・ＡＴＭパスをＳＴＭパスに変換するＡＴＭ／ＳＴＭ変換回路において・・・（以下略）・・・」とあり、
　周知のＡＴＭ（非同期転送モード）通信方式に関する技術常識を参酌すれば、引用例の「無瞬断切換方式」も、固定長のパケットである「セル」を用いた通信網であるＡＴＭ（非同期転送モード）通信網を前提としたものであって、「非同期伝送モードで動作するＡＴＭ通信網」における動作を行うものであることを読み取ることができる。
　
　また、上記ロの【００２５】および図１には、「現用伝送路１１および予備用伝送路１２を介して、送信側装置１３と受信側装置１４とが対向配置される」構成が開示されており、
　更に、「送信側装置１３は、送信信号を現用伝送路１１および予備用伝送路１２に並列に送出する並列伝送回路１５」を有するとの記載があって、
これらの伝送路は「現用」と「予備」であって「並列」に信号が送出されるものであるから、「冗長的に」構成されたものということができ、
「セルを単位とする情報列を伝送する」（上記イ、【０００１】）のであるから、「セル」の「流れ」すなわち「セル流」（上記イ、【０００５】、【０００８】）で通信するものであり、「通信セル流」を伝送するものであるということができる。
　
　また、上記ロの【００２５】中段及び図１には、
「送信側装置１３は、・・・（中略）・・・、現用伝送路１１内の空セル位置にシーケンシャル番号が付与された切換制御用ＯＡＭセルをほぼ周期的に挿入する切換制御用ＯＡＭセル発生回路１６とを備える」ともあり、
伝送路の送信側である「送信側装置１３」において、「シーケンシャル番号」を含む「切換制御用ＯＡＭセル」が「通信セル流」に「ほぼ周期的に挿入」されることを読み取ることができる。
　
　また、上記ロの【００２５】後段には、
「受信側装置１４は、現用伝送路１１に挿入される現用側の遅延挿抜回路１７と、予備用伝送路１２に挿入される予備側の遅延挿抜回路１８と、現用伝送路１１と予備用伝送路１２とを切り換える切換回路１９と、・・・（中略）・・・とを備える。」とあり、
「【００２６】図２は、受信側装置１４の実施例構成を示すブロック図である。図において、現用側および予備側の各遅延挿抜回路１７，１８は同一構成である。」とあって、
これらの「遅延挿抜回路１７，１８」が、「ＦＩＦＯ（ファーストイン−ファーストアウトメモリ）２１と、ＦＩＦＯ２１の書き込みおよび読み出しを制御する制御回路２２と、ＦＩＦＯ２１の出力から切換制御用ＯＡＭセルを検出する切換制御用ＯＡＭセル検出回路２３とを有する。」と記載されているから、
　現用・予備２つの伝送路の受信側にある「受信側装置１４」において、両伝送路に対応する２つの「遅延挿抜回路１７，１８」にある「切換制御用ＯＡＭセルを検出する切換制御用ＯＡＭセル検出回路２３」が、「切換制御用ＯＡＭセル」の発生を、「２つの通信セル流に対して別個に監視する」ものであることを読み取ることができる。
　
　また、上記ロの【００２５】後段には、
「受信側装置１４は、・・・（中略）・・・、各遅延挿抜回路１７，１８を制御して各伝送路の伝送遅延差を調整し、伝送遅延差が零の状態で切換回路１９の切り換え動作を制御する制御回路２０とを備える。」ともあり、
　上記ロの【００３５】後段〜【００３６】には、無瞬断切換のための上記「制御回路２０」の具体的動作に関して、
「【００３５】・・・（中略）・・・、制御回路２０は、切換制御用ＯＡＭセル検出信号３５，３６を取り込み、同じシーケンシャル番号の切換制御用ＯＡＭセルの到着時刻の差に応じて、現用伝送路１１および予備用伝送路１２の伝送遅延差を検出する。」とあって、
　上記「制御回路２０」は、２つの「切換制御用ＯＡＭセル検出信号３５，３６」から、「同じシーケンシャル番号の切換制御用ＯＡＭセルの到着時刻の差」、すなわち「現用伝送路１１および予備用伝送路１２の伝送遅延差を検出」するものである。
　
　そして、上記の「伝送遅延差」を「零」となるよう制御するため、
「【００３６】ここで、現用伝送路１１の伝送遅延が小さい場合には、制御回路２０は現用側の遅延挿抜回路１７に対して、制御信号３７としてセル読み出し間隔伸長信号を送出する。・・・（中略）・・・すなわち、図４に示す時間伸長が行われ」るとあって、
この、「図４に示す時間伸長」とは、上記ロの【００３３】によれば、
「【００３３】図４は、セル流の時間伸長の原理について説明する図である。・・・（中略）・・・、周期位置１，２，３に無信号セルが挿入されて時間伸長が行われ、セル流に遅延を付加することができる。」とあるから、「セル流」を「遅延」するものであり、
遅延されるセル流は、「現用伝送路１１の伝送遅延が小さい場合には」（【００３６】）とあるので、現用側の「通信セル流」が「先行する」事を検出しており、その場合に「先行する通信セル流」である現用側に対して、「遅延」制御が行われることが記載されている。
　そして、「以後、制御回路２０は、切換制御用ＯＡＭセル検出信号３５，３６から同じシーケンシャル番号の切換制御用ＯＡＭセルの到着時刻の差が零になった時点で、切換回路１９に対して切換信号３９を送出して現用伝送路１１から予備用伝送路１２への切り換えを実行する。」（【００３６】中段）とあるから、
上記の「遅延」制御は、「同じシーケンシャル番号の切換制御用ＯＡＭセルの到着時刻の差が零になった時点」まで行われるものであることが分かる。
　したがって、引用例の上記箇所には、「先行する通信セル流を同じシーケンシャル番号の切換制御用ＯＡＭセルの到着時刻の差が零になるまで遅延」することが記載されている。
　
　以上をまとめると、引用例には次の発明（以下、「引用発明」という。）が記載されている。
　
（引用発明）
「非同期伝送モードで動作するＡＴＭ通信網において現用伝送路および予備用伝送路を介して冗長的に伝送される通信セル流を、通信セル流に挿入された切換制御用ＯＡＭセルによって無瞬断切換する方式であって、
　切換制御用ＯＡＭセルをほぼ周期的に、現用伝送路および予備用伝送路の送信側装置で通信セル流に挿入し、
　現用伝送路および予備用伝送路の受信側装置で切換制御用ＯＡＭセルの発生を、２つの通信セル流に対して別個に監視する形式の方式において、
　切換制御用ＯＡＭセルには、シーケンシャル番号が含まれ、
　現用伝送路および予備用伝送路の受信側装置にて、現用伝送路および予備用伝送路の伝送遅延差を検出し、
　先行する通信セル流を同じシーケンシャル番号の切換制御用ＯＡＭセルの到着時刻の差が零になるまで遅延する、
　冗長的に伝送される通信セル流の無瞬断切換方式」
　
　
３．対比・判断 
　本願発明と引用発明とを対比する。
　
　まず、引用発明の「現用伝送路および予備用伝送路」は、通信を行う際に上記「セル」などの信号が通過する「経路」として「対」をなすものであるから「経路対」ということができ、この点において本願発明と一致する。
　
　また、引用発明の「切換制御用ＯＡＭセル」は、その名の通り「制御」を行うためのセルであるから、「制御セル」と呼ぶことのできるものであって、この点においても本願発明と一致する。
　
　また、引用発明の「無瞬断切換する方式（無瞬断切換方式）」は、並列に伝送される現用・予備両伝送路の信号を「瞬断」の無いように切換えるのであるから、切換の際に現用・予備両伝送路の信号のタイミングをあわせること、すなわち「同期」を取ることを含むものであって、「同期する方法」（同期方法）である点においても本願発明と一致する。
　
　また、引用発明の「送信側装置」、「受信側装置」は、「現用伝送路および予備用伝送路」すなわち「経路対」の送信側の端部、受信側の端部に位置するものであるから、経路対の「始端部」、「端部」に位置するものと言え、この点においても本願発明と一致する。
　
　また、引用発明の「シーケンシャル番号」は、本願発明の「制御セル毎に連続して変化する連続番号」と、「番号」と言う点において一致する。
　
以上をまとめると、両者は以下の点で一致し、また相違する。
　
（一致点）
　「　非同期伝送モードで動作するＡＴＭ通信網において経路対を介して冗長的に伝送される通信セル流を、通信セル流に挿入された制御セルによって同期する方法であって、
　制御セルを、経路対の始端部で通信セル流に挿入し、
　経路対の端部で制御セルの発生を、２つの通信セル流に対して別個に監視する形式の方法において、
　制御セルには、番号が含まれる、
　冗長的に伝送される通信セル流の同期方法。」 
　
（相違点）
　
（１）前提とする通信網の構成に関し、本願発明は「複数の交換装置を有するセル指向型通信網、例えば非同期伝送モードで動作するＡＴＭ通信網」におけるものであるのに対し、引用発明は単に「非同期伝送モードで動作するＡＴＭ通信網」におけるものである点。
　
（２）経路対の始端部における「制御セル」の挿入の点に関し、本願発明は「２つの通信セル流に挿入された制御セルによって同期する方法」、「制御セルをそれぞれ所定の時間間隔で、経路対の始端部で２つの通信セル流に挿入」とあるのに対し、
引用発明は単に「通信セル流に挿入された切換制御用ＯＡＭセルによって無瞬断切換する方式」、「切換制御用ＯＡＭセルをほぼ周期的に、現用伝送路および予備用伝送路の送信側装置で通信セル流に挿入」とあって、「２つの」、「それぞれ」との明記がない点。
　
（３）「制御セル」の挿入の時間に関し、本願発明は「所定の時間間隔で」とあるのに対し、引用発明は「ほぼ周期的に」とある点。
　
（４）「制御セル」に含まれる「番号」の点に関し、本願発明は「制御セル毎に連続して変化する連続番号」であるのに対し、引用発明は「シーケンシャル番号」である点。
　
（５）「検出」の点に関し、本願発明は「２つの通信セル流に発生する連続番号に基づいて先行する通信セル流を検出」するのに対し、引用発明は「現用伝送路および予備用伝送路の伝送遅延差を検出」する点。
　
（６）「遅延」の点に関し、本願発明は「先行する通信セル流を同じ連続番号が２つの通信セル流に発生するまで遅延」するのに対し、引用発明は「先行する通信セル流を同じシーケンシャル番号の切換制御用ＯＡＭセルの到着時刻の差が零になるまで遅延」する点。
　
　
　上記相違点（１）について検討する。
　引用発明の「非同期伝送モードで動作するＡＴＭ通信網」は、固定長パケットである「セル」を用いて通信を行うものであることは上記引用例（上記イ、【０００１】、【０００５】、【０００８】）の通りであり、これはセルを用いた通信を「指向」した「セル指向型通信網」の一例ということができ、これを「セル指向型通信網（ＡＴＭＮ）」と称するのは任意である。
　またこのような「通信網」が複数の「交換装置」を有することは、通信技術における技術常識であるから、
引用発明の「非同期伝送モードで動作するＡＴＭ通信網」を、本願発明の「複数の交換装置を有するセル指向型通信網（ＡＴＭＮ）、例えば非同期伝送モードで動作するＡＴＭ通信網」とする相違点（１）は格別のものと言うことはできない。
　
　上記相違点（２）について検討する。
　引用例上記ロの【００２５】には、制御セルである「切換制御用ＯＡＭセル」を「現用伝送路１１内の空セル位置」に挿入する場合についてしか言及はないものの、
図１によれば「切換制御用ＯＡＭセル」を挿入する「切換制御用ＯＡＭセル発生回路１６」の出力は、「送信側装置１３」内の「送信信号を現用伝送路１１および予備用伝送路１２に並列に送出する並列伝送回路１５」に接続されており、
２つの伝送路に分岐される「送信信号」とともに、挿入された「切換制御用ＯＡＭセル」（制御セル）も同様に分岐されて、２つの伝送路（経路対）を流れる「通信セル流」に挿入されるものと解釈するのが自然であり、２つの「通信セル流」のそれぞれに挿入されるのと格別の相違はない。
　また、「受信側装置１４」における「切換制御用ＯＡＭセル」（制御セル）検出の動作に関する記載（引用例、上記ロの【００３５】後段、【００３６】中段）をみても、
「現用伝送路１１および予備用伝送路１２」（経路対）それぞれの「通信セル流」に挿入された「切換制御用ＯＡＭセル」（制御セル）が２つの「切換制御用ＯＡＭセル検出回路２３」において別個に検出されていることが明らかである以上、送信側においては２つの「通信セル流」それぞれに「制御セル」が挿入されて送信されているものと認められる。
　したがって、相違点（２）に関しても、引用発明と実質的な相違はなく、格別のものではない。
　
　上記相違点（３）について検討する。
　引用発明において「切換制御用ＯＡＭセル」（制御セル）の挿入の時間が「ほぼ周期的」であるとは、ある程度の幅はあるにせよ定まった「時間間隔」でセルの挿入が行われると言うことであるから、これを「所定の時間間隔」というのは当業者であれば適宜になし得る程度のことに過ぎず、格別の技術的意義を有するものとも認められないので、相違点（３）も格別のものではない。
　
　上記相違点（４）について検討する。
　引用発明における「シーケンシャル番号」とは、連続するデータをパケットに細切れにして送る際に、その順序保護や欠落の検出をするために各パケットに付与される一連の番号、すなわちいわゆる「シーケンス番号」のことであると解され、
そのような番号をセルに付与することはＡＴＭ通信方式においても周知の技術であって、例えば、特開平４−１６７８４４号公報（２頁左下欄）、特開平４−２９１８４９号公報（【００５６】）、特開平５−２２４０３号公報（図６）にも開示のあることであるから、
本願発明においてこれを制御セルに適用し、「制御セル毎に連続して変化する連続番号」を付与することも当業者であれば容易になし得た程度のことと認められ、相違点（４）も格別のことではない。
　
　上記相違点（５）について検討する。
　引用例の摘記箇所ロ（例えば【００２７】、図２）によれば、
引用発明において「現用伝送路および予備用伝送路の伝送遅延差を検出」するためには、
「各遅延挿抜回路１７，１８の切換制御用ＯＡＭセル検出回路２３から出力される切換制御用ＯＡＭセル検出信号３５，３６」が「制御回路２０」に入力されて、「各遅延挿抜回路１７，１８の制御回路２２を制御する制御信号３７，３８」が発生されており、
その制御信号３７の作用として「【００３６】ここで、現用伝送路１１の伝送遅延が小さい場合には、制御回路２０は現用側の遅延挿抜回路１７に対して、制御信号３７としてセル読み出し間隔伸長信号を送出する。」とあり、
各「切換制御用ＯＡＭセル」の識別は「シーケンシャル番号」により行われるものと認められるから、
全体としてみれば「切換制御用ＯＡＭセル」（制御セル）に含まれる「シーケンシャル番号」（連続番号）に基づいて、「遅延が小さい伝送路」すなわち「先行する通信セル流」が検出されていることとなり、
本願発明の「２つの通信セル流に発生する連続番号に基づいて先行する通信セル流を検出」することも実質的に引用例に記載のあることであるから、相違点（５）も格別のものではない。
　
　上記相違点（６）について検討する。
　引用発明において「先行する通信セル流を同じシーケンシャル番号の切換制御用ＯＡＭセルの到着時刻の差が零になるまで遅延」するということは、同じ「シーケンシャル番号」（連続番号）を有する「切換制御用ＯＡＭセル」（制御セル）の、（遅延手段であるＦＩＦＯの出力における）「到着時刻の差が零になる」ということであるから、その瞬間には同じ「連続番号」を有する「制御セル」が「２つの通信セル流に（同時に）発生する」こととなり、「同じ連続番号が２つの通信セル流に発生する」と言えることである。
　そしてそのような条件が達成されるまで「先行する通信セル流」（伝送遅延の小さい現用伝送路）を「遅延」する点は、本願発明も同じ事（本願図３の「バッファメモリＰ１，Ｐ２」が、引用例のＦＩＦＯ２１内のメモリ２２に相当する遅延手段）であるから、相違点（６）に関する相違も格別のことではない。
　
　なおこの点に関して審判請求人は、２つのセルが同時に到着し、処理されることは不可能である旨の主張をするが、
引用例の図１，２にも明らかな様に２つのセルは現用・予備２つの伝送路のそれぞれの受信側に設けられた「遅延挿抜回路１７，１８」で平行して処理され、制御回路２０を介して制御回路２２により制御されるＦＩＦＯ２１において時間伸長などの遅延制御を受けるから、切換制御用ＯＡＭセルのＦＩＦＯ２１出力において見た「到着時刻の差が零になる」（同時になる）ことは不可能ではないので、請求人の主張は当を得ないものである。
　
　そして、これらの相違点の組み合わせによる本願発明の効果も、引用発明及び周知技術から当業者が予測し得る範囲のものである。 
　
　
４．むすび 
　以上のとおり、本願発明は、引用発明及び周知技術に基づいて当業者が容易に発明をすることができたものであるから、特許法第２９条第２項の規定により特許を受けることができない。 
　 
　よって、結論のとおり審決する。